(57)【要約】【課題】ミキサーを用いた高周波信号から低周波信号への変換において、高周波信号のイメージ信号の除去を簡易な構成で実現すること。【解決手段】周波数変換部４０において、ミキサー４３の前段に設けたイメージ除去フィルター４１によって、ＲＦ信号（受信信号）のイメージ信号が除去される。イメージ除去フィルター４１は、ＳＡＷ共振子を有して構成され、減衰量が急峻に減少し且つ狭帯域の減衰極が形成された通過特性を有する。この減衰極に除去したいイメージ周波数が含まれるよう、可変コンデンサー４３１の値を可変して減衰特性を周波数方向にシフトさせることで、ＲＦ信号は通過させながら、イメージ信号を除去することが可能となる。【選択図】図３
2012028917.tif 000002
【特許請求の範囲】
【請求項１】
ＳＡＷ共振子を有して減衰極を形成するとともに、特性可変の受動素子を有することで前記減衰極をシフト可能なフィルター部と、
前記フィルター部を通した高周波信号に局部発振信号を乗算して中間周波数の信号に変換するミキサー部と、
前記高周波信号のイメージ周波数を含むように前記受動素子の特性を変更することで前記減衰極をシフトさせるシフト部と、
を備えた周波数変換回路。
【請求項２】
前記シフト部は、前記受動素子の特性を徐々に変化させて、前記減衰極が前記イメージ周波数を含む前記受動素子の特性をサーチする特性サーチ部を有する、
請求項１に記載の周波数変換回路。
【請求項３】
前記高周波信号に代えて前記イメージ周波数のイメージ信号を前記フィルター部に入力する信号切替部を更に備え、
前記特性サーチ部は、
前記信号切替部により前記イメージ信号が前記フィルター部に入力されている場合に、前記受動素子の特性を変化させて、前記ミキサー部からの出力信号の減衰量が所定量以上となる前記受動素子の特性範囲を判定する第１の判定部と、
前記信号切替部により前記高周波信号が前記フィルター部に入力されている場合に、前記第１の判定部により判定された特性範囲内で前記受動素子の特性を変化させて、前記ミキサー部からの出力信号の減衰量が所定の最小条件を満たす前記受動素子の特性を判定する第２の判定部と、
を有する、
請求項２に記載の周波数変換回路。
【請求項４】
前記フィルター部の周囲温度を検出する温度検出部を更に備え、
前記シフト部は、前記温度検出部による検出温度に基づいて前記受動素子の特性を変更する温度起因特性変更部を有する、
請求項１〜３の何れか一項に記載の周波数変換回路。
【請求項５】
前記温度起因特性変更部は、前記検出温度が上昇するに従って前記減衰極をより低い周波数にシフトさせるように前記受動素子の特性を変更し、前記検出温度が下降するに従って前記減衰極をより高い周波数にシフトさせるように前記受動素子の特性を変更する、
請求項４に記載の周波数変換回路。
【請求項６】
請求項１〜５の何れか一項に記載の周波数変換回路を備えた受信装置。
【請求項７】
高周波信号に局部発振信号を乗算して中間周波数の信号に変換するミキサー部の前段に設けられたフィルター部であって、ＳＡＷ共振子を有して減衰極を形成するとともに、特性可変の受動素子を有することで前記減衰極をシフト可能なフィルター部の前記受動素子の特性を決定するための方法であって、
前記高周波信号のイメージ周波数の信号を前記フィルター部に入力し、前記受動素子の特性を変化させて、前記ミキサー部からの出力信号の減衰量が所定量以上となる前記受動素子の特性範囲を判定することと、
前記高周波信号を前記フィルター部に入力し、前記特性範囲内で前記受動素子の特性を変化させて、前記ミキサー部からの出力信号の減衰量が所定の最小条件を満たす前記受動素子の特性を判定することと、
を含む方法。
【発明の詳細な説明】
【技術分野】
【０００１】
本発明は、高周波信号に局部発振信号を乗算して中間周波数の信号に変換する周波数変換回路等に関する。
【背景技術】
【０００２】
スーパーへテロダイン方式の無線通信装置では、ミキサーを用いて、高周波信号である受信信号（ＲＦ信号）を、装置内部で生成した局部発振信号と合成することで、中間周波数の信号（ＩＦ信号）にダウンコンバートする周波数変換が行われる（例えば、特許文献１参照）。
【先行技術文献】
【特許文献】
【０００３】
【特許文献１】特開平１１−３４０８６０号公報
【発明の概要】
【発明が解決しようとする課題】
【０００４】
ミキサーを用いた周波数変換を行う場合、ミキサーへの入力信号のイメージ信号が出力信号に重畳されることを防止するため、ミキサーの前段に、イメージ周波数を遮断するＢＰＦを設ける技術が知られている。ところが、高周波信号を低周波信号に変換する場合、高周波信号である入力信号の周波数とイメージ周波数とが近くなり、ＢＰＦではイメージ信号が除去できない。このような場合には、ＢＰＦに替えて、受信信号をＩＱ分離することによってイメージ除去を行うイメージ除去回路が設けられる。しかし、このＩＱ分離によるイメージ除去回路では２つのミキサーが必要であり、装置全体の消費電力の増大につながる。
【０００５】
本発明は、上記事情に鑑みてなされたものであり、ミキサーを用いた高周波信号から低周波信号への変換において、高周波信号のイメージ信号の除去を簡易な構成で実現することを目的としている。
【課題を解決するための手段】
【０００６】
上記課題を解決するための第１の形態は、ＳＡＷ共振子を有して減衰極を形成するとともに、特性可変の受動素子を有することで前記減衰極をシフト可能なフィルター部と、前記フィルター部を通した高周波信号に局部発振信号を乗算して中間周波数の信号に変換するミキサー部と、前記高周波信号のイメージ周波数を含むように前記受動素子の特性を変更することで前記減衰極をシフトさせるシフト部と、を備えた周波数変換回路である。
【０００７】
この第１の形態によれば、周波数変換回路では、ミキサー部によって、フィルター部を通した高周波信号に局部発振信号を乗算して中間周波数の信号に変換される。フィルター部は、ＳＡＷ共振子を有して減衰極を形成するとともに、特性可変の受動素子を有して減衰極をシフト可能であり、高周波信号のイメージ周波数を含むように受動素子の特性を変更することで減衰極がシフトされる。これにより、ミキサーに入力される高周波信号のイメージ周波数が、フィルター部によって除去される。
【０００８】
第２の形態として、第１の形態の周波数変換回路であって、前記シフト部は、前記受動素子の特性を徐々に変化させて、前記減衰極が前記イメージ周波数を含む前記受動素子の特性をサーチする特性サーチ部を有する、周波数変換回路を構成しても良い。
【０００９】
この第２の形態によれば、フィルター部の受動素子の特性を徐々に変化させて、減衰極がイメージ周波数を含むようになる受動素子の特性がサーチされる。
【００１０】
第３の形態として、第２の形態の周波数変換回路であって、前記高周波信号に代えて前記イメージ周波数のイメージ信号を前記フィルター部に入力する信号切替部を更に備え、前記特性サーチ部は、前記信号切替部により前記イメージ信号が前記フィルター部に入力されている場合に、前記受動素子の特性を変化させて、前記ミキサー部からの出力信号の減衰量が所定量以上となる前記受動素子の特性範囲を判定する第１の判定部と、前記信号切替部により前記高周波信号が前記フィルター部に入力されている場合に、前記第１の判定部により判定された特性範囲内で前記受動素子の特性を変化させて、前記ミキサー部からの出力信号の減衰量が所定の最小条件を満たす前記受動素子の特性を判定する第２の判定部と、を有する、周波数変換回路を構成しても良い。
【００１１】
また、他の形態として、高周波信号に局部発振信号を乗算して中間周波数の信号に変換するミキサー部の前段に設けられたフィルター部であって、ＳＡＷ共振子を有して減衰極を形成するとともに、特性可変の受動素子を有することで前記減衰極をシフト可能なフィルター部の前記受動素子の特性を決定するための方法であって、前記高周波信号のイメージ周波数の信号を前記フィルター部に入力し、前記受動素子の特性を変化させて、前記ミキサー部からの出力信号の減衰量が所定量以上となる前記受動素子の特性範囲を判定することと、前記高周波信号を前記フィルター部に入力し、前記特性範囲内で前記受動素子の特性を変化させて、前記ミキサー部からの出力信号の減衰量が所定の最小条件を満たす前記受動素子の特性を判定することと、を含む方法を構成しても良い。
【００１２】
この第３の形態等によれば、イメージ信号の減衰量が所定量以上となり、且つ、高周波信号の減衰量が所定の最小条件を満たす受動素子の特性が判定される。つまり、イメージ信号の除去に適切なフィルター部の受動素子の特性が判定される。
【００１３】
第４の形態として、第１〜第３の何れかの形態の周波数変換回路であって、前記フィルター部の周囲温度を検出する温度検出部を更に備え、前記シフト部は、前記温度検出部による検出温度に基づいて前記受動素子の特性を変更する温度起因特性変更部を有する、周波数変換回路を構成しても良い。
【００１４】
この第４の形態によれば、フィルター部の周囲温度が検出され、検出温度に基づいてフィルター部の受動素子の特性が変更される。フィルター部はＳＡＷ共振子を有するため、周囲温度により減衰極が変動する特性がある。しかし、この第４の形態のように、検出温度に基づいて受動素子の特性を変更することで、周囲温度による減衰極の変動を補正し、適切なイメージ信号の除去が実現される。
【００１５】
周囲温度に基づくフィルター部の受動素子の特性の変更としては、第５の形態として、前記温度起因特性変更部が、前記検出温度が上昇するに従って前記減衰極をより低い周波数にシフトさせるように前記受動素子の特性を変更し、前記検出温度が下降するに従って前記減衰極をより高い周波数にシフトさせるように前記受動素子の特性を変更する、こととしても良い。
【００１６】
この第５の形態によれば、検出温度が上昇するに従って、減衰極をより低い周波数にシフトさせるように受動素子の特性が変更され、検出温度が下降するに従って、減衰極をより高い周波数にシフトさせるように、受動素子の特性が変更される。
【００１７】
第６の形態として、第１〜第５の何れかの形態の周波数変換回路を備えた受信装置を構成しても良い。
【００１８】
この第６の形態によれば、上述の第１〜第５の何れかの形態の周波数変換回路と同様の作用効果を奏する受信装置が実現される。
【図面の簡単な説明】
【００１９】
【図１】携帯電話機の機能構成図。
【図２】ＧＰＳ受信装置の機能構成図。
【図３】周波数変換部及びベースバンド部の機能構成図。
【図４】イメージ除去フィルターの回路構成図。
【図５】イメージ除去フィルターの通過特性。
【図６】フィルター調整処理のフローチャート。
【図７】周波数変換部及びベースバンド部の他の機能構成図。
【図８】調整用テーブルのデータ構成例。
【発明を実施するための形態】
【００２０】
以下、図面を参照して本発明の実施形態を説明する。なお、以下では、本発明の周波数変換回路を備えた受信装置の一種である携帯電話機についての実施形態を説明するが、本発明の適用可能な実施形態がこれに限定されるものではない。
【００２１】
［構成］
図１は、本実施形態における携帯電話機１の機能構成図である。図１によれば、携帯電話機１は、ＧＰＳ（Global Positioning System）アンテナ１０と、ＧＰＳ受信装置２０と、処理部６０と、操作部６２と、表示部６４と、記憶部６６と、携帯電話用無線通信回路部７０と、携帯電話用アンテナ８０とを備えて構成される。
【００２２】
ＧＰＳアンテナ１０は、測位用衛星の一種であるＧＰＳ衛星信号から発信されているＧＰＳ衛星信号を含むＲＦ（Radio Frequency）信号を受信する。なお、ＧＰＳ衛星信号は、ＧＰＳ衛星毎に異なる拡散符号の一種であるＰＲＮ（Pseudo Random Noise）コードで直接スペクトラム拡散方式により変調された１．５７５４２［ＧＨｚ］の通信信号である。ＰＲＮコードは、コード長１０２３チップを１フレームとする繰返し周期１ｍｓの擬似ランダム雑音符号である。
【００２３】
ＧＰＳ受信装置２０は、ＲＦ受信回路部３０と、ベースバンド部５０とを備え、ＧＰＳアンテナ１０で受信された信号に基づいて、携帯電話機１の位置を計測する。
【００２４】
ＲＦ受信回路部３０は、ＧＰＳアンテナ１０で受信されたＲＦ信号を中間周波数の信号（ＩＦ（Intermediate Frequency）信号）にダウンコンバートし、増幅した後、デジタル信号に変換する。ベースバンド部５０は、ＲＦ受信回路部３０から出力されたＩＦ信号に対して、相関処理等を行ってＧＰＳ衛星信号を捕捉・抽出し、データを復号して航法メッセージや時刻情報を取り出し、擬似距離の算出や測位演算を行って、携帯電話機１の位置を算出する。
【００２５】
処理部６０は、ＣＰＵ（Central Processing Unit）等のプロセッサで構成される制御装置であり、記憶部６６に記憶されているシステムプログラム等の各種プログラムに従って、携帯電話機１の各部を統括的に制御する。具体的には、処理部６０は、通話機能やメール送受信機能、インターネット機能、カメラ機能といった携帯電話機としての本来的な機能を発揮させるための処理を行う。また、ベースバンド部５０から出力された携帯電話機１の位置をもとに、表示部６４に現在位置を指し示した地図を表示させる処理を行ったり、その位置を各種のアプリケーション処理に利用する。
【００２６】
操作部６２は、タッチパネルやボタンスイッチ等で構成される入力装置であり、操作信号を処理部６０に出力する。この操作部６２における操作により、通話要求やメール送受信要求、位置算出要求等の各種指示入力がなされる。
【００２７】
表示部６４は、ＬＣＤ（Liquid Crystal Display）等で構成される表示装置であり、処理部６０から入力される表示信号に基づいた各種表示を行う。例えば、表示部６４には、位置表示画面や時刻情報等が表示される。
【００２８】
記憶部６６は、ＲＯＭやＲＡＭ等で構成される記憶装置であり、処理部６０が携帯電話機１を制御するためのシステムプログラムや、各種アプリケーション処理を実行するための各種プログラムやデータ等が記憶される。
【００２９】
携帯電話用無線通信回路部７０は、ＲＦ変換回路やベースバンド処理回路等によって構成される携帯電話の通信回路部であり、携帯電話用無線信号の変調・復調等を行うことで、通話やメールの送受信等を実現する。携帯電話用アンテナ８０は、携帯電話機１の通信サービス事業者が設置した無線基地局との間で携帯電話用無線信号の送受信を行う。
【００３０】
図２は、ＧＰＳ受信装置２０の機能構成図である。図２によれば、ＲＦ受信回路部３０は、ＳＡＷ（Surface Acoustic Wave）フィルター３１と、ＬＮＡ（Low Noise Amplifier）３２と、周波数変換部４０と、増幅部３３と、ＡＤＣ（Analog to Digital Converter）３４とを有する。
【００３１】
ＳＡＷフィルター３１は、バンドパスフィルターであり、ＧＰＳアンテナ１０で受信されたＲＦ信号に対して、ＲＦ信号の周波数を含む所定帯域の信号を通過させ帯域外の周波数成分を遮断する。ＬＮＡ３２は、低雑音アンプであり、ＳＡＷフィルター３１から出力されたＲＦ信号を増幅する。
【００３２】
周波数変換部４０は、ＬＮＡ３２から出力されたＲＦ信号を、中間周波数の信号（ＩＦ信号）に変換する。増幅部３３は、周波数変換部４０から出力されたＩＦ信号を増幅する。ＡＤＣ３４は、増幅部３３から出力されたアナログ信号であるＩＦ信号を、デジタル信号に変換する。
【００３３】
図３は、周波数変換部４０、及び、ベースバンド部５０の機能構成図である。図３によれば、周波数変換部４０は、イメージ除去フィルター４１と、ＰＬＬ（Phase Locked Loop）４２と、ミキサー４３と、信号生成部４５（信号切替部）とを有し、ベースバンド部５０は、信号強度検出部５１と、制御部５２とを有する。なお、この周波数変換部４０及びベースバンド部５０によって「周波数変換回路」を構成する。
【００３４】
イメージ除去フィルター４１は、入力されるＲＦ信号からイメージ信号を除去する「フィルター部」である。ここで除去されるイメージ信号は、ＲＦ信号を後段のミキサー４３に通過させた際に生じるイメージ周波数ｆＩＭ（＝ｆＲＦ−２・ｆＩＦ）の信号である。
【００３５】
図４は、イメージ除去フィルター４１の回路構成図である。このイメージ除去フィルター４１は、特許文献「特開２００８−５２７７」に開示されている「ローパスフィルタ」において、受動素子であるコンデンサーを可変に構成したものである。
【００３６】
図４によれば、イメージ除去フィルター４１は、４つのフィルター４１０，４２０，４３０，４４０を備えて構成される。フィルター４１０は、２端子対ＳＡＷ共振子４１１を有する。フィルター４２０は、１端子対ＳＡＷ共振子４２１と、リアクトル４２２とを有し、１端子対ＳＡＷ共振子４２１とリアクトル４２２とが並列接続されて構成されている。フィルター４３０は、可変コンデンサー４３１と、１端子対ＳＡＷ共振子４３２と、リアクトル４３３とを有し、直列接続された可変コンデンサー４３１及び１端子対ＳＡＷ共振子４３２と、リアクトル４３３とが並列接続されて構成されている。可変コンデンサー４３１の値（特性）は、制御部５２からの制御信号ＣＯＮＴに従って可変される。フィルター４４０は、２端子対ＳＡＷ共振子４４１を有する。
【００３７】
そして、イメージ除去フィルター４１は、並列接続されたフィルター４１０，４２０と、フィルター４３０とが直列接続されるとともに、フィルター４３０の可変コンデンサー４３１にフィルター４４０が並列接続されて構成される。
【００３８】
図５は、イメージ除去フィルター４１の通過特性を示す図である。図５によれば、イメージ除去フィルター４１は、通過特性として、低周波数側から順に、低損失且つ広帯域の「通過帯域Ａ」と、減衰率が急峻に増加する狭帯域の「減衰域Ｂ（減衰極）」と、低損失且つ狭帯域の「通過域Ｃ」と、広帯域の「減衰域Ｄ」とが形成されている。
【００３９】
ところで、ＳＡＷ共振子を用いたＳＡＷフィルターには、温度によって周波数が変動する特性（温度特性）がある。このため、イメージ除去フィルター４１の減衰特性は、温度によって変動する。具体的には、周囲温度が高くなるにつれて、減衰特性が低周波側（図中、左側）にシフトする。また、イメージ除去フィルターの減衰特性は、受動素子である可変コンデンサー４３１の値を可変することで、周波数方向にシフトされる。
【００４０】
このため、イメージ除去フィルター４１の可変コンデンサー４３１は、遮断したいイメージ周波数が「減衰域Ｂ」に含まれるとともに、通過させたいＲＦ周波数が「通過域Ｃ」に含まれるように、制御部５２によって、適切な値に設定される。これにより、イメージ除去フィルター４１によって、ＲＦ信号に含まれるイメージ信号が除去される。
【００４１】
ＰＬＬ４２は、周波数ｆＬｏの局部発振信号Ｌｏを生成する。ミキサー４３は、イメージ除去フィルター４１から出力されたＲＦ信号と、ＰＬＬ４２から出力された局部発振信号Ｌｏとを乗算して出力する。ＢＰＦ４４は、ミキサー４３から出力される信号に対して、ＲＦ信号の周波数ｆＲＦと、局部発振信号Ｌｏの周波数ｆＬｏとの差周波数「ｆＲＦ−ｆＬｏ」を含む所定帯域の信号を通過させ、帯域外の周波数成分を遮断する。
【００４２】
信号生成部４５は、制御部５２からの切替信号に従って、ＰＬＬ４２から出力される局部発振信号Ｌｏを逓倍或いは分周することで、ＲＦ信号の周波数ｆＲＦの信号（擬似ＲＦ信号）、或いは、イメージ周波数ｆＩＭの信号（擬似イメージ信号）を生成する。
【００４３】
信号強度検出部５１は、ＲＦ受信回路部３０から出力されたＩＦ信号の強度を検出する。
【００４４】
制御部５２は、信号強度検出部５１によって検出された信号強度をもとに、イメージ除去フィルター４１の減衰極（減衰域Ｂ）がイメージ周波数を含むこととなる可変コンデンサー４３１の特性をサーチし、減衰特性をシフトさせるフィルター調整処理を行う。このフィルター調整処理は、例えば、処理部６０からの指示によるＧＰＳ受信装置２０の起動時に行われる。なお、制御部５２が「シフト部」、「特性サーチ部」、「第１の判定部」及び「第２の判定部」に相当する。
【００４５】
図６は、フィルター調整処理の流れを説明するフローチャートである。図６によれば、制御部５２は、先ず、信号生成部４５にＲＦ周波数の信号（擬似ＲＦ信号）を生成させ、生成された擬似ＲＦ信号をイメージ除去フィルター４１に入力させる（ステップＡ１）。次いで、イメージ除去フィルター４１の可変コンデンサー４３１の値を徐々に変化させ（ステップＡ３）、そのときの、ＲＦ受信回路部３０から出力され信号強度検出部５１によって検出されたＩＦ信号の信号強度をもとに、擬似ＲＦ信号の減衰量を算出する（ステップＡ５）。なお、このステップＡ３〜Ａ５の処理が「第２の判定部」の処理に相当する。
【００４６】
続いて、信号生成部４５にイメージ周波数の信号（擬似イメージ信号）を生成させ、イメージ除去フィルター４１に入力させる（ステップＡ７）。次いで、イメージ除去フィルター４１の可変コンデンサー４３１の値を徐々に変化させ（ステップＡ９）、そのときの、ＲＦ受信回路部３０から出力され信号強度検出部５１によって検出されたＩＦ信号の信号強度をもとに、擬似イメージ信号の減衰量を算出する（ステップＡ１１）。なお、このステップＡ９〜Ａ１１の処理が「第１の判定部」の処理に相当する。
【００４７】
続いて、算出した擬似ＲＦ信号及び擬似イメージ信号それぞれの減衰量をもとに、擬似イメージ信号の減衰量が所定量（例えば、２０ｄＢ）以上となる範囲内であって、且つ、擬似ＲＦ信号の減衰量が最小（最小条件）となる、イメージ除去フィルター４１の可変コンデンサー４３１の値を判定する（ステップＡ１３）。そして、判定した値に可変コンデンサー４３１を設定する。
【００４８】
その後、信号生成部４５による信号生成を終了させ、ＧＰＳアンテナ１０で受信されたＲＦ信号のＲＦ受信回路部３０への入力を開始する（ステップＡ１５）。以上の処理を行うと、制御部５２は、フィルター調整処理を終了する。
【００４９】
［作用・効果］
このように、本実施形態によれば、ミキサー４３の前段に設けたイメージ除去フィルター４１によって、ＲＦ信号（受信信号）のイメージ信号が除去される。イメージ除去フィルター４１は、ＳＡＷ共振子を有して構成され、減衰量が急峻に減少し且つ狭帯域の減衰極が形成された通過特性を有する。この減衰極に除去したいイメージ周波数が含まれるよう、可変コンデンサー４３１の値を可変して減衰特性を周波数方向にシフトさせることで、ＲＦ信号は通過させながら、イメージ信号を除去することが可能となる。これにより、ＲＦ信号に近いイメージ信号の除去を、フィルタによって実現でき、ＩＱ分離が不要となるので、装置全体の回路規模の削減及び消費電力の削減が実現される。
【００５０】
［変形例］
なお、本発明の適用可能な実施形態は、上述の実施形態に限定されることなく、本発明の趣旨を逸脱しない範囲で適宜変更可能なのは勿論である。
【００５１】
（Ａ）リアクトル４２２，４３３を可変
例えば、上述の実施形態では、イメージ除去フィルター４１において可変コンデンサー４３１の値を可変することにしたが、他の受動素子であるリアクトル４２２，４３３を可変することにしても良い。
【００５２】
（Ｂ）温度検出
また、ＳＡＷ共振子を有して構成されるイメージ除去フィルター４１の減衰特性は、周囲温度によって変動する温度特性を有する。このため、検出した周囲温度に基づいて、イメージ除去フィルター４１の可変コンデンサー４３１を可変することにしても良い。
【００５３】
図７は、周囲温度に基づく場合の、周波数変換部４０Ａ、及び、ベースバンド部５０Ａの機能構成図である。図７によれば、周波数変換部４０Ａは、イメージ除去フィルター４１と、ＰＬＬ４２と、ミキサー４３と、温度検出素子４６とを有して構成され、ベースバンド部５０は、制御部５２Ａと、調整用テーブル５３とを有して構成される。
【００５４】
温度検出素子４６は、イメージ除去フィルター４１の近傍に設けられ、イメージ除去フィルター４１の周囲温度を検出する。
【００５５】
制御部５２は、調整用テーブル５３に従って、温度検出素子４６による検出温度に対応する値に、イメージ除去フィルター４１の可変コンデンサー４３１を可変する。
【００５６】
図８は、調整用テーブル５３のデータ構成の一例を示す図である。図８に示すように、調整用テーブル５３は、温度と、可変コンデンサー４３１の値とを対応付けて格納している。この調整用テーブル５３は、予め測定された温度とイメージ除去フィルター４１の減衰特性との対応関係をもとに定められる。具体的には、イメージ除去フィルター４１の減衰特性（図５参照）が、イメージ周波数を「減衰域Ｂ」に含み、且つ、ＲＦ信号の周波数を「通過域Ｃ」に含む特性となる可変コンデンサー４３１の値である。
【００５７】
更にこの場合、温度検出素子４６による検出温度に基づいて、可変コンデンサー４３１を可変することで、より適切な値を判定・設定することにしても良い。具体的には、検出温度に対応する可変コンデンサー４３１の値を中心とする所定の周波数範囲において可変コンデンサー４３１の値を可変させて、ＲＦ信号の減衰量が最小となる値を判定する。この場合、所定の周波数範囲内で可変コンデンサー４３１の特性をサーチすれば良いため、高速に処理を行うことができる。
【００５８】
（Ｃ）イメージ除去フィルター４１
また、イメージ除去フィルター４１は、上述の実施形態における回路構成に限らず、ＳＡＷ共振子を有して構成されることで減衰極が形成された通過特性を有するとともに、受動素子である可変コンデンサー或いはリアクタンスを可変することで減衰極をシフト可能なフィルタであれば良い。
【符号の説明】
【００５９】
１  携帯電話機
１０  ＧＳＰアンテナ
２０  ＧＰＳ受信装置
３０  ＲＦ受信回路部
３１  ＳＡＷフィルター、３２  ＬＮＡ
４０  周波数変換部
４１  イメージ除去フィルター
４３１  可変コンデンサー、４２２，４３３  リアクトル
４２  ＰＬＬ、４３  ミキサー、４４  ＢＰＦ
４５  信号生成部
３３  増幅部、３４    ＡＤＣ
５０  ベースバンド部
５１  信号強度検出部、５２  制御部
６０  処理部、６２  操作部、６４  表示部、６６  記憶部
７０  携帯電話用無線通信回路部、８０  携帯電話用アンテナ
【図１】
2012028917.tif 000003
【図２】
2012028917.tif 000004
【図３】
2012028917.tif 000005
【図４】
2012028917.tif 000006
【図５】
2012028917.tif 000007
【図６】
2012028917.tif 000008
【図７】
2012028917.tif 000009
【図８】
2012028917.tif 000010